(57)【要約】  【課題】商品の輸送、保護、高級感等のため、額縁付きの二重壁構造とした紙箱がある。しかし従来、額縁を持つ箱のコーナーは額縁幅Ｐが大きくなるにつれガタつきが発生し、折角の高級感を損ねるものであった。また、構造が複雑で組み立て難く、対策として必要箇所を予め接着しておく必要があった。これら問題点を解決しようとするもである。  【解決手段】額縁幅Ｐより僅かに狭いガタ防止フラップ２２〜２５が側壁連結フラップ２６、２９、３０、３３に連接されており、組み立てると該ガタ防止フラップを額縁１２、１３及び側壁４、５、内壁８、９で完全に抱きかかえ動かないようにし、台形の高さが額縁幅Ｐで、台形の底辺が突起３８〜４１が丁度挿入される長さの台形状切り取り片３４〜３７を設け、この切り取り片で開いた開口部に該突起を挿入し、該開口部を内壁左右フラップ１８〜２１により隠すと同時に側壁２、３を固定するようにした。  【選択図】  図２
2006282265.tif 000002
【特許請求の範囲】
【請求項１】
底板１の四辺に側壁２、３、４、５を連接し、折立て、該側壁先端に帯状の額縁１０、１１、１２、１３を介して内壁６、７、８、９を連接し、該内壁を各側壁に対して額縁幅だけ離して組み立てる額縁付き二重壁構造の紙箱に於いて、隣り合う側壁は側壁連結フラップ２６、２７、２８、２９、３０、３１、３２、３３で繋がっており、この側壁連結フラップの内、２６、２９、３０、３３には額縁幅Ｐより僅かに狭いガタ防止フラップ２２、２３、２４、２５が連接しており、該ガタ防止フラップは組み立て時、額縁１２、１３の下で側壁４、５及び内壁８、９で作られる空間に挟み込まれるようになっている事を特徴とする紙製額縁付き二重壁箱。
【請求項２】
内壁６、７、８、９の先端には組み立て後は箱上面から見える方向に折り曲げ、底板１に接面される内壁先端フラップ１４、１５、１６、１７が連接され、内壁先端フラップ１４、１５は連接する側壁６、７の一部を台形状に切り取る台形状切り取り片３４、３５、３６、３７を有し、該台形状切り取り片の台形底辺端は内壁先端フラップ１４、１５の左右端から額縁幅Ｐだけ内側に入った位置にあり、その台形状切り取り片の台形底辺長さは、もう一組の内壁先端フラップ１６、１７の左右端にある突起３８、３９、４０、４１が差し込める幅で、該切り取り片の台形高さは額縁幅Ｐ分であり、この該台形状切り取り片で開いた空間に組み立て時、内壁先端フラップ１６、１７の左右端にある突起３８、３９、４０、４１が挿入され、これにより組み立てた箱がロック維持される事を特徴とした請求項１記載の紙製額縁付き二重壁箱。
【請求項３】
内壁８、９の左右端には内壁左右端フラップ１８、１９、２０、２１を有する事を特徴とした請求項１記載の紙製額縁付き二重壁箱。
【発明の詳細な説明】
【技術分野】
【０００１】
本発明は、例えば菓子類などを収容する化粧箱などの安価で組み立てが簡単かつ丈夫な紙製組み立て箱で、特に額縁を有する二重壁箱に関する。
【背景技術】
【０００２】
従来、底板又は天板に連結された全ての側壁を折り立ててトレー状の容器又は蓋を形成する技術があった。この種の箱には、輸送時や商品の保護の確実性を図るとともに高級感や重厚感を与えることを目的とし、箱本体や蓋体の側壁が内側壁と外側壁とにより二重構造に構成されたものがある。更に最近では、より豪華さを出すため、身箱となる二重箱側壁を額縁構造としたものが特に和菓子業界では使われるようになってきた。
【０００３】
この種の側壁二重構造でかつ額縁構造をした組み立て箱では構造が複雑となり、組み立てをより簡単にするためと組み立て後の自立性を確保するためのロックをより簡単に行うため、相対する一組の外壁と内壁の一部又は全面を接着したり、内壁の先端に底板に面で接着させる内壁折り返しフラップを設けたり、隣り合う側壁の側壁端どうしを中央で折り返す側壁連結フラップの片面を側壁内側に接着するなどを行っている場合が多く見られる。
【０００４】
これら額縁付き二重壁箱の最大の問題は、箱のコーナーでガタが発生する事である。即ち額縁幅Ｐ分の空間を持った側壁と内壁どうしがコーナーで直角に交わるため発生するガタであり、額縁の幅が大きくなればなるほど大きくなり、折角の高級感を損なうものとして対策が望まれていた。しかし今までは、額縁幅Ｐをあまり大きくしないとか、使用する紙を厚くするなどの対処療法しかなかった。又、内壁６、７の左右端にフラップ５０、５１、５２、５３を設け側壁４、５及び内壁８、９の間に挟み込む方法も額縁幅Ｐが広がるにつれ、そして紙厚みが薄くなるにつれ効果はなくなり根本解決には至っていなかった。
【特許文献１】登録実用第３０２２６０９
【特許文献２】特開２００２−３０８４２９
【特許文献３】登録実用第３０２４０５８
【発明の開示】
【発明が解決しようとする課題】
【０００５】
解決しようとしている課題は、接着剤等を用いなくても簡単に組み立て出来、コーナーでのガタつきを防止した紙製額縁付き二重箱を提供する事である。
【課題を解決するための手段】
【０００６】
第一の課題可決手段は、底板１の四辺に側壁２、３、４、５を連接し、折立て、該側壁先端に帯状の額縁１０、１１、１２、１３を介して内壁６、７、８、９を連接し、該内壁を各側壁に対して額縁幅だけ離して組み立てる額縁付き二重壁構造の紙箱に於いて、隣り合う側壁は側壁連結フラップ２６、２７、２８、２９、３０、３１、３２、３３で繋がっており、この側壁連結フラップの内、２６、２９、３０、３３には額縁幅Ｐより僅かに狭いガタ防止フラップ２２、２３、２４、２５が連接しており、該ガタ防止フラップは組み立て時、額縁１２、１３の下で側壁４、５及び内壁８、９で作られる空間に挟み込まれるようにした紙製額縁付き二重壁箱とした。
【０００７】
第二の課題解決手段は、内壁６、７、８、９の先端には組み立て後は箱上面から見える方向に折り曲げ、底板１に接面される内壁先端フラップ１４、１５、１６、１７が連接され、内壁先端フラップ１４、１５は連接する側壁６、７の一部を台形状に切り取る台形状切り取り片３４、３５、３６、３７を有し、該台形状切り取り片の台形底辺端は内壁先端フラップ１４、１５の左右端から額縁幅Ｐだけ内側に入った位置にあり、その台形状切り取り片の台形底辺長さは、もう一組の内壁先端フラップ１６、１７の左右端にある突起３８、３９、４０、４１が差し込める幅で、該切り取り片の台形高さは額縁幅Ｐ分であり、この該台形状切り取り片で開いた空間に組み立て時、内壁先端フラップ１６、１７の左右端にある突起３８、３９、４０、４１が挿入され、これにより組み立てた箱がロック維持されるようにした請求項１記載の紙製額縁付き二重壁箱とした。
【０００８】
第三の課題解決手段は、内壁８、９の左右端には内壁左右端フラップ１８、１９、２０、２１を有するようにした請求項１記載の紙製額縁付き二重壁箱とした。
【発明の効果】
【０００９】
上記第一の課題解決手段による作用は次の通りである。即ち、この箱を組み立てるとき、ガタ防止フラップ２２、２３、２４、２５を額縁１２、１３の下で側壁４、５及び内壁８、９で作られる空間に挟み込むとガタ防止フラップは完全に自由な動きを束縛され、結果としてガタ防止フラップが連接する側壁連結フラップ２６、２９、３０、３３が側壁２、３の自由な動きを束縛する事になり、従来の額縁仕様の二重箱で起こっていたコーナーでの
ガタつきを防止出来る。この解決手段の優れた点は、額縁幅Ｐがどれだけ大きくなっても、ガタ防止フラップ幅Ｓを広げていく事により、ガタつき防止効果が失われない事である。
【００１０】
更に、側壁連結フラップ２６、２７、２８、２９、３０、３１、３２、３３をそれぞれ内壁８、９及び側壁４、５の間に挟み込むべく、内壁８、９を箱内側に折り込む時、ガタ防止フラップ２２、２３、２４、２５は自然と額縁１２、１３及び側壁４、５及び内壁８、９の間に挟み込まれるようになっており、箱組み立て時に特別な注意、動作を必要としないでこの効果が発生する点にある。
【００１１】
以上、額縁付き二重壁構造の箱における最大の欠点である箱コーナーのガタつき防止手段である第一の課題解決手段の作用を図で説明すると、図７及び図８は側壁４を立ち上げると側壁連結フラップ２６、２７は内壁６に動きを邪魔されて自然に側壁４に近づいていく様子を示す。図９は内壁８を箱内側に完全に折り込んだ時、ガタ防止フラップ２２が額縁２２の下で側壁４と内壁８の間にしっかりと挟まれ、動きがとれなくなっている様子を点線で示したものである。
【００１２】
上記第二の課題解決手段による作用は次の通りである。即ち、内壁先端フラップ１４、１５に設けられた切り取り片３４、３５、３６、３７は該内壁先端フラップ１４、１５の左右端から額縁幅Ｐだけ内側に位置し、台形状の切り取り片の高さも額縁幅Ｐであるため、この切り取り片で開いた空間に内壁先端フラップ１６、１７の左右端３８、３９、４０、４１が挿入されると内壁１６、１７は側壁８、９からそれぞれ額縁幅Ｐだけ離れて固定される事になる。一方切り取り片は台形の高さが額縁幅Ｐであるため、台形上切り取り片の先端が側壁２、３につかえて内壁６、７は側壁２、３には額縁幅Ｐ以上は近づかないようになる。即ち、この台形状切り取り片３４、３５、３６、３７が内壁先端フラップの左右端からＰ幅残した位置で、切り取りの台形高さがＰ幅である事で、全ての内壁が側壁からＰ幅の距離だけ離れるようになるという顕著な効果を発揮する。又、切り取り片の台形の底辺相当の長さが、挿入される内壁先端フラップ１６、１７の左右端の幅Ｑが丁度挿入される長さであれば内壁８、９はしっかり固定される。
【００１３】
以上、第二の課題解決手段によれば、側壁２、３を立ち上げ、内壁６、７を箱内側に折り込んでおけば、側壁４、５を立ち上げながら内壁８、９を箱内側に折り込めば、自動的に箱はロックされ、かつ内壁６、７、８、９は側壁２、３、４、５より額縁幅Ｐだけ離れてロックされ、これら一連の効果がワンアクションでかつ、どこにも接着を必要とせずに行われるという作用を持っている。上記のロック機構は図１０に示される。本図はロックの箇所のみで、かつ見やすくするため、側壁３をくり抜いたものである。
【００１４】
上記第三の課題解決手段による作用は次の通りである。即ち、内壁６、７は組み立て時、台形上切り取り片３４、３５、３６、３７の先端が側壁２、３につかえて側壁２、３側には近づけないようになっている。この内壁６、７の側壁２、３から離れる方向への動きを止めるものが内壁８、９の左右端にある内壁左右端フラップ１８、１９、２０、２１である。即ち、組み立て時、側壁２、３および内壁６、７を起立させた後、内壁８、９を箱内側に折り込めば、自動的に該内壁左右端フラップは内壁６、７を押さえつける作用をする。また同時に、台形上切り取り片３４、３５、３６、３７の開口部をも隠す役目となり、更にコーナーの強度アップにも当然なっている。
【００１５】
以上の如く、本発明によれば、紙製額縁付き二重壁構造の箱が糊などの接着剤を一切用いなくても、簡単に組み立てる事が出来、かつ従来、額縁部のコーナーの欠点であったガタつききを、組み立て時の自然なながれのなかで実施する事ができ、しかも額縁幅Ｐを広げていってもガタつき防止効果は変わらないという今までにないものを提供するもである。
【発明を実施するための最良の形態】
【００１６】
以下の実施例はコートボール（350g/m2）を用いて行ったものである。
【実施例１】
【００１７】
図１は本実施例１のブランクである。点線は折り筋を示す。底板１に対して、側壁２、３を折り筋より立ち上げ、額縁１０、１１を形成するように内壁６、７を内側に折り曲げ、
内壁先端フラップ１４、１５を折り筋より箱の上から見える方向に折り曲げる。この段階で、台形状切り取り片３４、３５、３６、３７の先端は側壁２、３の方向に向いている。
【００１８】
以上の状態で、側壁連結フラップ２６、２７、２８、２９、３０、３１、３２、３３を
折り筋４２、４３、４４、４５から山折りにして箱内側に折り込みながら側壁４、５を立ち上げている様子が、図２である。尚、側壁連結フラップは内壁６、７が邪魔しているため側壁４、５に近づいてくる。
【００１９】
額縁１２、１３を確保しながら内壁８、９を箱内側に折り込むと、側壁連結フラップは側壁４、５と内壁８、９の間に挟まれ、さらにガタ防止フラップ２２、２３、２４、２５は額縁１２、１３の下に自然と入ってくる。内壁８、９を完全に内壁先端フラップ１６、１７が底板１に面として接するまで折り込むと、該内壁先端フラップの左右端３８、３９、４０、４１が台形状切り取り片３４、３５、３６、３７により開いた開口部に挿入され、
内壁８、９が側壁４、５に対して額縁幅Ｐだけ離れて固定され、更に内壁８、９の左右に連接された内壁左右端フラップ１８、１９、２０、２１が内壁６、７が側壁２、３に対して額縁幅Ｐより離れないように抑止する。図３は組み立て完成図である。
【００２０】
尚、本発明実施例による組み立て完成後の箱の図３に示すコーナー部断面図を図４、図５、図６にて示す。
【図面の簡単な説明】
【００２１】
【図１】実施例１のブランク
【図２】実施例１の組み立て途中図
【図３】実施例１の組み立て完成図
【図４】図３のＸ−Ｘ断面図
【図５】図３のＹ−Ｙ断面図
【図６】図３のＺ−Ｚ断面図
【図７】ガタ防止作用図１
【図８】ガタ防止作用図２
【図９】ガタ防止作用図３
【図１０】ロック状態図
【符号の説明】
【００２２】
１          底板
２〜５      側壁
６〜９      内壁
１０〜１３  額縁
１４〜１７  内壁先端フラップ
１８〜２１  内壁左右端フラップ
２２〜２５  ガタ防止フラップ
２６〜３３  側壁連結フラップ
３４〜３７  台形状切り取り片
３８〜４１  突起
Ｑ          内壁先端フラップ８の幅
Ｐ          額縁の幅
Ｒ          側壁先端フラップ１４の幅
【図１】
2006282265.tif 000003
【図２】
2006282265.tif 000004
【図３】
2006282265.tif 000005
【図４】
2006282265.tif 000006
【図５】
2006282265.tif 000007
【図６】
2006282265.tif 000008
【図７】
2006282265.tif 000009
【図８】
2006282265.tif 000010
【図９】
2006282265.tif 000011
【図１０】
2006282265.tif 000012